(57)【要約】異なる粘性を有することがある所望の異なる材料を分離して格納するための、相互に分離された複数のコンパートメントＡ、Ｂを有する変形可能な外側コンテナ本体を備えた、マルチコンパートメントディスペンサであって、コンパートメントは、少なくとも１つの弾性隔壁３によって分離され、各コンパートメントには、ゼロより大きい値の指数まで上げられた流れに対する抵抗に比例する面積を有する放出開口を提供するように構成された放出口６、７が設けられ、前記流れに対する抵抗は、放出口からの異なる材料の制御された放出のための各コンパートメントから放出される材料に関する抵抗である。
2006527143.tif 000002
【特許請求の範囲】
【請求項１】
異なる粘性を有することがある所望の異なる材料を分離して格納するための、相互に分離された複数のコンパートメントを有する変形可能な外側コンテナ本体を備えた、マルチコンパートメントディスペンサであって、コンパートメントが、少なくとも１つの弾性隔壁によって分離され、各コンパートメントは、ゼロより大きい値の指数まで上げられら流れに対する抵抗に比例する面積を有する放出開口を提供するように構成された放出口が設けられ、前記流れに対する抵抗が、放出口からの異なる材料の制御された放出のための各コンパートメントから放出される材料に関する抵抗である、マルチコンパートメントディスペンサ。
【請求項２】
各コンパートメントの放出開口の面積は、材料が、他のコンパートメントに含まれる材料に対して放出される必要がある比率に正比例する、請求項１に記載のマルチコンパートメントディスペンサ。
【請求項３】
各コンパートメントの隣接して対向する部材が、隔壁と共に密封され、隣接したコンパートメントの外側の変形可能な本体部は、変形可能なコンテナ外側本体を画定するように共に密封される、請求項１または２に記載のマルチコンパートメントディスペンサ。
【請求項４】
少なくとも１つの隔壁の面積が、隔壁に沿ったコンテナの断面積以上である、請求項１から３のいずれか一項に記載のマルチコンパートメントディスペンサ。
【請求項５】
少なくとも１つの隔壁が、波形形状に形成される、請求項１から４のいずれか一項に記載のマルチコンパートメントディスペンサ。
【請求項６】
複数の弾性隔壁が存在する、請求項１から５のいずれか一項に記載のマルチコンパートメントディスペンサ。
【請求項７】
変形可能な外側コンテナ本体が、折りたたみ可能でない、請求項１から６のいずれか一項に記載のマルチコンパートメントディスペンサ。
【請求項８】
ディスペンサが、手持型である、請求項１から７のいずれか一項に記載のマルチコンパートメントディスペンサ。
【請求項９】
指数が、０．１から５の間の値を有する、請求項１から８のいずれか一項に記載のマルチコンパートメントディスペンサ。
【発明の詳細な説明】
【技術分野】
【０００１】
本発明は、異なる物質を分離して格納するためのマルチコンパートメントディスペンサに関し、この分離する理由の１つは、別個に格納するためであり、別の理由は、例えば、相互に化学的に反応するためおよび／または物理的に異なる／不適合であるため、または例えば様々な色で、知覚的に魅力のある製品形態を得たいと望むためである。また、そのような物質を組み合わせて使用する必要があるときは、意図した用途において変形可能であるが、折りたたみ可能ではないディスペンサ本体に外部圧力を加えることによって、制御された分与が提供される。
【背景技術】
【０００２】
食品／非食品などの様々な製品を調合する間、使用するまでは、化学的／物理的に不適合な材料を分離して格納することが特に望まれる。皮膚や毛髪への局所適用および歯への適用のための化粧品組成物は、クリーム、ペースト、ローション、ジェルなどとして調合されることができる。各種の明白な理由のため、調合物の一部は、格納する間に分離して維持するのが望ましいことが多いが、使用時にはそれらを合わせて分与することが非常に望ましい。分離して格納することが必須の化学的不適合性とは別に、成分の物理的特性、例えば流動学的特性が異なり、このために単一組成物として調合できないときがある。
【０００３】
この問題を解決するために、様々なタイプの包装が、従来技術で設計されかつ開示されてきた。それら包装の大部分は、チューブであって、例えば剛体でありかつプラスチック材料で形成されることができる、本発明の成形コンテナではない（米国特許第５８６０５６５号（Ｅｎａｍｅｌｏｎ，Ｉｎｃ．１９９９年）、米国特許第５０７６４６４号（Ｐａｔｒｉｃｋ  Ｓｉｍｏｎ、１９９１年）、米国特許第５２６９４４１号（ＣＰ  ｐａｃｋａｇｉｎｇ，Ｉｎｃ．，１９９３年））。
【０００４】
インド国特許第１８３５９１号（Ｈｉｎｄｕｓｔａｎ  Ｌｅｖｅｒ、１９９６年）は、ある１つのアダプタを開示している。このアダプタは、一方を他方の内部に一体にはめ込む可変サイズの歯磨きチューブなどの２つの予め作られたチューブにより、２つの異なる物質の分離格納を提供する二重チューブのディスペンサを得ることを可能にし、また二重チューブに外部圧力を加えると、必要に応じて、必要な時に前記ディスペンサからの同時の押し出しを得ることを可能にする。
【０００５】
上述の従来技術においては、１つの大きな欠点は、材料の流動性が類似していても、２つの分離された材料の分与を制御できないことである。
【０００６】
流動学的に異なる材料の分与を制御する従来の解決法は、パックの複数コンパートメントに容積測定用の機械式ポンプを設けることである。しかし、これは、かなり高価であり、多量のプラスチックの使用を伴う。
【０００７】
欧州特許第９１８６９８号（Ｃｏｌｇａｔｅ−Ｐａｌｍｏｌｉｖｅ、２００１年）は、マルチコンパートメントの折りたたみ可能なチューブで、物理的に分離した歯磨剤組成物を均一に同時分与することができる方法を開示している。この方法は、分与中における印加圧力によって生じる圧力差に応じて、隔壁を動かすことを含む。この欧州特許出願は、折りたたみ可能なチューブで、歯磨剤組成物用のチューブに限定される。
【０００８】
米国特許第５９２１４４０号（Ｍａｉｎｅｓ、１９９９年）は、ボトルが、１方または両方のコンパートメントからの内容物を分与するように構成された、マルチコンパートメントコンテナを開示している。
【０００９】
上述の現状の技術から明らかなように、マルチコンパートメントディスペンサは、化学的および／または物理的に異なる材料を格納し、かつ同時に分与することは知られているが、知られている技術のディスペンサはどれも、大幅に異なる粘性を有する材料などの、分離したコンテナに格納されている流動学的に異なる材料を要求通りに制御して分与することに対して、簡単で経済的な解決策を達成していない。材料の粘性が大幅に異なる場合、簡単な隔壁および／または折りたたみ可能な外側本体は、粘性の異なる材料を確実に所望通りに制御して分与するのに十分ではないことに留意することが重要である。
【００１０】
したがって、コンテナ／密閉容器が、異なる材料を格納し、かつそれらの材料を同時に分与することは知られているが、このような材料は、多くの場合必然的に、例えば異なる粘性を有するなど流動学的に異なることを考慮すると、確実に同時に分与し、かつ分与中にそのような異なる材料の流量を同時に効果的に制御することはきわめて難しい。さらに、この分野の関連技術の大部分は、異なる材料を同時に分与するのに用いられる折りたたみ可能なチューブ式コンテナに限定されており、このようなコンテナは、それの成形された本体が、折りたたみ可能なチューブ式パックに対して異なる変形特性を有するために、成形され変形可能な高分子材料コンテナに対して適用できない。上記の理由のため、マルチコンパートメントの成形され変形可能な高分子材料のコンテナから、２つ以上の物理的に異なる、制御された量の物質／組成物を同時に分与することはさらに困難になる。
【発明の開示】
【発明が解決しようとする課題】
【００１１】
したがって、本発明の基本的な目的は、様々な２つ以上の物理的／流動学的に異なる材料を格納しかつ均一に同時分与するための、成形された高分子材料のマルチコンパートメントコンテナを提供することであり、このコンテナは、経済的で、簡単で、信頼性が高く、かつ操作が容易なものである。
【００１２】
別の目的は、粘性の差などのような材料間の差に関係なく、コンテナの各コンパートメントの各内容物の放出を簡単にかつ経済的に制御することによって、ある一定範囲の材料を格納しかつ制御した割合で均一に分与するための、成形された高分子材料のマルチコンパートメントコンテナを提供することに向けられる。これは、選択的に伝達可能で変形可能な形状の外側コンテナ本体と、異なる材料を分離して格納するためのコンテナの分離層と、格納および分与される材料の異なる物理的／流動学的特性に基づく各コンパートメントの出口／開口とを必要とする。
【００１３】
本発明の別の目的は、化学的および／または物理的に異なる物質を分離して格納し、かつ均一に同時分与するための、成形された高分子材料のマルチコンパートメントコンテナを提供することに向けられ、これにより、２つ以上の組成物の制御されかつほぼ均一な使用を保証し、この結果として、消費者の要求を保証し、調整されていない分与による過剰に残される可能性のある、あらゆる組成物の浪費を低減する。
【００１４】
本発明のさらに別の目的は、化学的および／または物理的に異なる／不適合な物質を分離して格納しかつ均一に同時分与するための、手持型の成形された高分子材料のマルチコンパートメントコンテナを提供することに向けられ、このコンパートメントは、ユーザに負傷を与える危険性および／または包装を損傷する危険性なしに、子供および高齢者でさえ安全に取り扱いできる、化粧品／食品組成物などを含むように構成される。
【００１５】
本発明のさらに別の目的は、化学的および／または物理的に異なるかまたは不適合な材料を分離して格納しかつ均一に同時分与するための、成形された高分子材料のマルチコンパートメントコンテナを提供することに向けられ、このコンテナは、魅力的であり、優れた美観を有し、さらに重要なことは、最良の結果のために基本的に共に使用する必要のある材料を分離して分与する必要がなくなり、より好都合には、順次に分与されるよりもしろ同時に分与されることである。
【課題を解決するための手段】
【００１６】
本発明の第１の態様によれば、マルチコンパートメントディスペンサが提供され、このディスペンサは、
ｉ）所望の異なる材料を分離して格納するために、内部に相互に分離された複数のコンパートメントを有する、変形可能な外側コンテナ本体を備え、
ｉｉ）前記コンパートメントは、弾性隔壁で分離されており、
ｉｉｉ）前記各コンパートメントには、ゼロより大きい値の指数まで上げられた「流れに対する抵抗」に比例する面積を有する放出開口を提供するように構成された放出口手段が設けられ、前記「流れに対する抵抗」は、前記放出口からの異なる材料の制御された放出のための各コンパートメントから放出される材料に関する抵抗である。
【００１７】
本発明の１つの態様によれば、マルチコンパートメントディスペンサにおいて、前記複数のコンパートメントそれぞれは、外側の変形可能な成形された本体部と、コンテナ本体の変形圧力を効果的に伝達するために、隔壁と共に密封された各コンパートメントの隣接して対向する部材を有する内部弾性隔壁部材とを備え、隣接したコンパートメントの前記外側の変形可能な本体部は、前記変形可能なコンテナ外側本体をともに画定するように共に密封される。
【００１８】
本発明の別の態様によれば、マルチコンパートメントディスペンサは、複数の弾性隔壁部材を内部に有する共通の外側の変形可能なコンテナ本体を備え、隣接して対向する隔壁部材を共に密封して、内部に前記複数のコンパートメントを画定し、コンテナ本体の変形圧力を、必要とされる様々なコンパートメントに効果的に伝達して、各コンパートメントからの内容物の調整された分与をする。実施形態によっては、コンテナは、コンパートメントを分離する唯一の弾性隔壁部材であってもよい。
【００１９】
本発明の好ましい態様によれば、マルチコンパートメントディスペンサが提供され、このディスペンサは、
ｉ）所望の異なる材料を分離して格納するために、内部に相互に分離された複数のコンパートメントを有する、使用中は折りたたみ可能ではない変形可能な外側のコンテナ本体を備え、
ｉｉ）前記コンパートメントは、弾性隔壁によって形成され、前記隔壁の面積は、隔壁に沿ったコンテナの断面積以上であるように選択され、
ｉｉｉ）前記各コンパートメントには、０．１から５の値の指数まで上げられた「流れに対する抵抗」に比例する面積の放出開口を提供するように構成された放出口手段が設けられ、前記「流れに対する抵抗」は、前記放出口からの異なる材料の制御された放出のための各コンパートメントから放出される材料に関する抵抗である。
【００２０】
本発明のさらに好ましい形態によれば、マルチコンパートメントディスペンサが提供され、このディスペンサは、
ｉ）所望の異なる材料を分離して格納するために、内部に相互に分離された複数のコンパートメントを有する、使用中は折りたたみ可能ではない変形可能な外側のコンテナ本体を備え、
ｉｉ）前記コンパートメントは、弾性隔壁によって形成され、前記隔壁は、波形形状であり、
ｉｉｉ）前記各コンパートメントには、０．１から５の値の指数まで上げられた「流れに対する抵抗」に比例する面積の放出開口を提供するように提供された放出口手段が設けられ、前記「流れに対する抵抗」は、前記放出口からの異なる材料の制御された放出のための各コンパートメントから放出される材料に関する抵抗である。
【００２１】
特に好ましくは、前記各コンパートメントの放出口には、０．１から５の値の指数まで上げられた「流れに対する抵抗」に比例する面積を有する開口を提供するように構成され、前記「流れに対する抵抗」は、放出される材料に関する抵抗であり、この抵抗は、外側本体に放出圧力を加えると、材料が、コンテナの他のコンパートメント内の材料に対して放出される必要がある比率に正比例する。
【００２２】
コンテナからの空間的に分離された製品を均一に同時分与できる、成形された変形可能な高分子材料のマルチコンパートメントコンテナに関する本発明の基本的な特徴は、コンパートメントを形成するコンテナの隔壁部材の弾性率と、格納される組成物の物理的特性およびそれら組成物を放出すべき比率とに関連して選択的な放出開口を提供するように構成されたコンパートメント出口手段との組み合わせに関する。詳細には、コンテナは、可撓性の膜隔壁を介して作動圧力を等しくするよう作用することができる。
【００２３】
変形可能なコンテナ本体の壁は、任意の知られている高分子材料で形成されるが、好ましくは、例えば、高密度ポリエチレン（ＨＤＰＥ）、低密度ポリエチレン（ＬＤＰＥ／ＬＬＤＰＥ）、ポリプロピレン（ＰＰ）、エチレンプロピレン共重合体などのポリオレフィン、あるいは、例えばポリエチレンテレフタレート（ＰＥＴ）またはポリ塩化ビニル（ＰＶＣ）などのポリエステルのような、比較的剛性のあるプラスチック材料から選択される。好ましくは、材料の厚みは、５ｍｍ以下であり、より好ましくは、１ｍｍ以下である。
【００２４】
前記コンパートメントは、弾性隔壁部材によって分離され、弾性隔壁部材の弾性率および／または面積および／または構造は、外側本体および／または格納される内容物の流動性に関連する隔壁部材の配置に基づいて選択される。
【００２５】
コンテナのコンパートメントを分離するのに用いられる隔壁は、同様に任意の知られている高分子材料から形成できる。隔壁が波形形状である場合、好ましくは、隔壁は、ポリオレフィンなどの熱可塑性材料またはゴムなどのエラストマーから選択される材料で形成される。隔壁が波形形状でない場合、好ましくは、隔壁は、１０ｋｇ／ｍｍ２未満の引張り強さと、１０００％未満の伸びと、好ましくは約２ｍｍ未満の厚さとを有する、ゴムなどのエラストマーで形成される。隔壁は、調合物の成分に対して実質的に不活性でありかつ不透過性である。
【００２６】
好ましくは、コンパートメントの各出口は、放出開口を提供するように構成され、この放出開口の面積は、
ａ）０．１から５の値の指数まで上げられた、上述のコンパートメント内の組成物によって提供される「流れに対する抵抗」に比例し、
ｂ）組成物が、他の組成物と同時分与される必要がある比率に正比例する。
【００２７】
選択的な弾性隔壁と、複数の各コンパートメントについての放出口との上述のような組み合わせによって、成形された高分子材料のディスペンサ内の実質的に異なる粘性を有する材料などのような広範囲の様々な材料を、均一に制御して放出することが可能である。
【００２８】
１つの態様によれば、本発明のコンテナを形成するプロセスは、組み立てられてコンテナを形成することができる、成形された変形可能な外側本体と内側の弾性隔壁とを有する複数のシェルを設けることを含む。シェルは、成形で得られる。成形において、プラスチック微粒が、融解され、加圧下でダイに充填され、（中間のチューブの予備成形段階の有無によらず）その後冷却され、ダイから取り除かれる。
【００２９】
シェルは、充填およびバルブなどの他の構成部品の取り付けに関する設計により設けられた任意の開口を除いて、閉鎖された３次元の中空物体の形状のコンテナ内に組み込まれる。シェルは、本明細書で記載した開口からの液体の調合成分で充填される前に、適切なバルブおよびキャップが取り付けられる。その後、適切に装飾され、判読可能な文字が記される。
【００３０】
上述のプロセスが終了すると、消費者は、以下で「包装」と称するコンテナを使用して、食品または非食品用途の適正な用量で複数の調合成分を、格納しかつ均一に同時分与できる。使用の前後で、コンテナは、その１つまたは複数の表面で支えられることができてもよく、マルチコンパートメントボトルとして記載されてもよい。特定の商業領域では、「トトル（Ｔｏｔｔｌｅ）」としても知られる、逆さまの瓶のように見えるように、キャップで支えられることができてもよい。フックなどの特徴部を設けて、壁にまたは適切な取り付け具から垂直構成で自由に吊下げることもできる。
【００３１】
コンテナの内容物の正味の全容積は、典型的には１ｍｌから１０００ｍｌであることができる。
【００３２】
本発明の目的および利点の詳細を、添付の図面により、本発明によるマルチコンパートメントコンテナの非限定の例示的実施形態に関して、以下により詳細に説明する。
【発明を実施するための最良の形態】
【００３３】
図１Ａおよび図１Ｂに示されるとおり、コンテナは、平坦な密封面を備えた一体型周辺リムを有する、成形された高分子材料のシェル（１、２）を備える。弾性隔壁部材（３）が、コンパートメントＡ、Ｂを形成するためにともに密封される２つのシェルのリム間にしっかりと保持される。調合成分が、シェルの穴を通して充填され、開口４Ａ、５Ａを有するバルブ４、５が、穴にはめ込まれる。キャップ（６）が、開口を覆うように取り付けられる。
【００３４】
弾性隔壁部材、弾性隔壁部材の材料、面積、構造、および出口バルブに沿った配置は、好ましくは、流動性と各コンパートメントからの所望の流れ制御に基づいて選択される。これにより、本発明のマルチコンパートメントディスペンサからの、必要とされる同時流れと必要とされる流量制御を提供し、成形されたマルチコンパートメントディスペンサに対する流動性を含む、マルチコンパートメントディスペンサに対する異なる流動性の材料の場合であっても、制御された同時流れを得る問題を回避する。
【図面の簡単な説明】
【００３５】
【図１Ａ】出口が閉じられた、本発明のコンテナの一実施形態の正面図である。
【図１Ｂ】本発明によるコンテナの一実施形態の正面断面図である。
【図１Ａ】
2006527143.tif 000003
【図１Ｂ】
2006527143.tif 000004
【国際調査報告】
2006527143.tif 000005
2006527143.tif 000006
2006527143.tif 000007
2006527143.tif 000008